(57)【要約】【課題】周波数スペクトルを有効に使用することができる基地局装置などを提供する。【解決手段】基地局装置１−１〜１−２は、既存のキャリア及び追加のキャリアを使用して無線により通信する無線通信部と、前記既存のキャリアより低周波数側又は高周波数側のうちの一方又は両方における前記追加のキャリアが存在する可能性のある周波数リソースの領域を特定する情報を、前記無線通信部により、端末装置（移動局装置２１−１〜２１−ｎ、３１−１〜３１−ｍ）へ無線により送信するキャリア情報送信制御部と、を備えることを特徴とする。【選択図】図１
2014138318.tif 000002
【特許請求の範囲】
【請求項１】
既存のキャリア及び追加のキャリアを使用して無線により通信する無線通信部と、
前記既存のキャリアより低周波数側又は高周波数側のうちの一方又は両方における前記追加のキャリアが存在する可能性のある周波数リソースの領域を特定する情報を、前記無線通信部により、端末装置へ無線により送信するキャリア情報送信制御部と、
を備えることを特徴とする基地局装置。
【請求項２】
前記キャリア情報送信制御部は、更に、前記追加のキャリアが存在する可能性のある周波数リソースの領域のうちで無効な領域部分を特定する情報を、前記無線通信部により、前記端末装置へ無線により送信する、
ことを特徴とする請求項１に記載の基地局装置。
【請求項３】
既存のキャリア及び追加のキャリアを使用して無線により通信する無線通信部と、
前記既存のキャリアより低周波数側又は高周波数側のうちの一方又は両方における前記追加のキャリアが存在する可能性のある周波数リソースの領域を特定する情報を、前記無線通信部により、基地局装置から無線により受信するキャリア情報受信制御部と、
を備えることを特徴とする端末装置。
【請求項４】
前記キャリア情報受信制御部は、更に、前記追加のキャリアが存在する可能性のある周波数リソースの領域のうちで無効な領域部分を特定する情報を、前記無線通信部により、前記基地局装置から無線により受信する、
ことを特徴とする請求項３に記載の端末装置。
【請求項５】
基地局装置と端末装置を有し、
前記基地局装置は、既存のキャリアより低周波数側又は高周波数側のうちの一方又は両方における追加のキャリアが存在する可能性のある周波数リソースの領域を特定する情報を前記端末装置へ無線により送信し、
前記端末装置は、前記基地局装置から前記情報を無線により受信し、
前記基地局装置と前記端末装置が前記既存のキャリア及び前記追加のキャリアを使用して無線により通信する、
ことを特徴とする通信システム。
【請求項６】
基地局装置は、既存のキャリアより低周波数側又は高周波数側のうちの一方又は両方における追加のキャリアが存在する可能性のある周波数リソースの領域を特定する情報を端末装置へ無線により送信し、
前記端末装置は、前記基地局装置から前記情報を無線により受信し、
前記基地局装置と前記端末装置が前記既存のキャリア及び前記追加のキャリアを使用して無線により通信する、
ことを特徴とする通信方法。
【発明の詳細な説明】
【技術分野】
【０００１】
本発明は、基地局装置、端末装置、通信システム及び通信方法に関する。
【背景技術】
【０００２】
従来、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）で検討されている標準規格の１つとして、ＬＴＥ（Ｌｏｎｇ  Ｔｅｒｍ  Ｅｖｏｌｕｔｉｏｎ）が知られている。ＬＴＥは順次改訂されている。
ＬＴＥでは、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）に基づくアクセス方式を採用している。また、ＬＴＥでは、下りリンクのＯＦＤＭ信号には、時間同期をとるための制御信号（ＳＳ：Ｓｙｎｃｈｒｏｎｉｚａｔｉｏｎ  Ｓｉｇｎａｌｓ）や、伝搬路を推定するための制御信号（ＲＳ：Ｒｅｆｅｒｅｎｃｅ  Ｓｉｇｎａｌｓ）が挿入されている。
【０００３】
ＬＴＥにおいて、ＲＳは目的に応じて複数種類が定義されている。ＲＳとしては、例えば、復調、チャネルメジャメント、受信電力測定を目的とした共通参照信号（ＣＲＳ：Ｃｏｍｍｏｎ  ＲＳ）や、チャネルメジャメントを主な目的としたＣＳＩ−ＲＳ（Ｃｈａｎｎｅｌ  Ｓｔａｔｅ  Ｉｎｆｏｒｍａｔｉｏｎ  ＲＳ）や、復調を主な目的としたＤＭ−ＲＳ（ＤｅＭｏｄｕｌａｔｉｏｎ  ＲＳ）などがある。
ＲＳについては、一般的に、アンテナ毎に異なる領域にＲＳが挿入されるため、アンテナの数が増加するごとにＲＳオーバーヘッドが増大するといった問題がある。このようなＲＳオーバーヘッドを削減することを目的とし、ＣＲＳの挿入密度を低くした後方互換性のないキャリアであるニューキャリアタイプ（ＮＣＴ：Ｎｅｗ  Ｃａｒｒｉｅｒ  Ｔｙｐｅ）を導入することが提案されている。
【０００４】
一方、ＮＣＴについては、後方互換性がないことを利用して、オーバーヘッドの削減だけでなく、様々な用途に利用することが検討されている。そのような用途の一つに、スペクトルの有効利用というものが挙げられる。
【０００５】
図１３は、既存のスペクトルに対するスペクトルの追加割り当ての一例を示す図である。図１３におけるグラフの横軸は周波数を表す。
スペクトル２００１は、既存のスペクトル（既存スペクトルＸ）である。
スペクトル２００２は、既存スペクトルＸに対して低周波数側に連続的に、追加的に割り当てられたスペクトル（追加スペクトルＹ）である。
この例では、既存スペクトルＸでＬＴＥサービスを行っていた当該既存スペクトルＸに対して、その下側の連続周波数に追加スペクトルＹが割り当てられている。
【０００６】
この場合、既存スペクトルＸと追加スペクトルＹを複合したスペクトル（複合スペクトル）により、ＬＴＥサービスを実施することが望ましい。
図１４は、複合スペクトルの運用の一例を示す図である。図１４におけるグラフの横軸は周波数を表す。
スペクトル２０１１は、既存スペクトルＸと追加スペクトルＹの複合スペクトルである。
この例では、既存スペクトルＸと追加スペクトルＹが複合されて利用されている。
【０００７】
しかしながら、このような複合スペクトルの運用では、例えば、既存スペクトルＸの帯域幅を利用することができた端末装置Ｚが、当該帯域幅とは異なる複合スペクトル（Ｘ＋Ｙ）の帯域幅をサポートすることができない可能性がある。この場合、このような端末装置ＺはＬＴＥサービスを全く享受することができないという問題があった。
【０００８】
このような問題を解決する手法として、キャリアアグリゲーション（ＣＡ：Ｃａｒｒｉｅｒ  Ａｇｇｒｅｇａｔｉｏｎ）を利用することが提案されている（例えば、非特許文献１参照。）。
図１５は、キャリアアグリゲーションの一例を説明するための図である。図１５におけるグラフの横軸は周波数を表す。
スペクトル２０２１は、既存スペクトルであり、互換性のあるキャリア（互換キャリア）が設けられる。
スペクトル２０２２は、追加スペクトルであり、追加のキャリア（追加キャリア）が設けられる。
既存スペクトルと追加スペクトルの間には、ガードバンドが設けられる。
既存スペクトルの中心周波数と追加スペクトルの中心周波数との差異は、例えば、１００ｋＨｚ×Ｎ（Ｎは１以上の整数）である。
【０００９】
このようなキャリアアグリゲーションでは、既存スペクトルはそのまま保持されるため、既存スペクトルの帯域幅を利用することができた端末装置ＺはＬＴＥサービスを既存スペクトルにより享受することができる。
しかしながら、このようなキャリアアグリゲーションでは、既存スペクトルのキャリアと追加キャリアとの間でガードバンドが必要になる可能性があり（図１５の例では、ガードバンドが設けられている）、ガードバンドの挿入によるスペクトル利用効率の低下が懸念される。
また、ＬＴＥの仕組みにおいては、既存スペクトルのキャリアと追加キャリアを、中心周波数が１００ｋＨｚのラスタの倍数で配置する必要がある。このため、それぞれのキャリアの間を完全に埋めきれない可能性があり、スペクトル利用効率の低下が懸念される。
【００１０】
また、上記のような問題を解決する手法として、キャリアセグメントと呼ばれる手法を利用することが提案されている。キャリアセグメントでは、互換キャリアの中心周波数を固定し、中心に互換キャリアを配置し、その上下帯域に後方互換のない追加キャリアを拡張する。
図１６は、キャリアセグメントの一例を説明するための図である。図１６におけるグラフの横軸は周波数を表す。
スペクトル２０３１は、中心周波数を含み、互換性のあるキャリア（互換キャリア）が設けられる。
スペクトル２０３２は、中央のスペクトル２０３１に対して低周波数側に連続的な追加のスペクトルであり、追加のセグメント（追加セグメント）のキャリアが設けられる。
スペクトル２０３３は、中央のスペクトル２０３１に対して高周波数側に連続的な追加のスペクトルであり、追加のセグメント（追加セグメント）のキャリアが設けられる。
この例では、中央のスペクトル２０３１に対して低周波数側の追加セグメントと高周波数側の追加セグメントは、中心周波数に対して対称となっている。
【００１１】
このようなキャリアセグメントの手法によっても、互換キャリアの存在（既存スペクトルの帯域幅と同じ帯域幅の存在）により、既存スペクトルの帯域幅を利用することができた端末装置ＺはＬＴＥサービスを享受することができる。
しかしながら、このようなキャリアセグメントでは、（既存スペクトルのキャリアの位置に対して）互換キャリアの位置が変更されるため、通信システム（基地局装置など）の刷新などが必要となり、現実的には適用が困難なことが多い。
【先行技術文献】
【非特許文献】
【００１２】
【非特許文献１】Ｒ１−１１２０８１、Ｅｒｉｃｓｓｏｎ  ａｎｄ  ＳＴ−Ｅｒｉｃｓｓｏｎ、“Ｃｏｎｓｉｄｅｒａｔｉｏｎｓ  ｏｎ  ｕｓｅ  ｃａｓｅｓ  ｆｏｒ  ｉｎｔｒｏｄｕｃｔｉｏｎ  ｏｆ  ａｄｄｉｔｉｏｎａｌ  ｃａｒｒｉｅｒ  ｔｙｐｅｓ”、３ＧＰＰ  ＲＡＮ  ＷＧ１＃６６、Ａｕｇｕｓｔ、２０１１
【発明の概要】
【発明が解決しようとする課題】
【００１３】
以上のように、従来のキャリアアグリゲーションの手法や、従来のキャリアセグメントの手法では、不十分な点があり、新たな手法が望まれていた。
【００１４】
本発明は、このような事情を考慮してなされたもので、周波数スペクトルを有効に使用することができる基地局装置、端末装置、通信システム及び通信方法を提供することを課題とする。
【課題を解決するための手段】
【００１５】
（１）上記の課題を解決するために、本発明に係る基地局装置は、既存のキャリア及び追加のキャリアを使用して無線により通信する無線通信部と、前記既存のキャリアより低周波数側又は高周波数側のうちの一方又は両方における前記追加のキャリアが存在する可能性のある周波数リソースの領域を特定する情報を、前記無線通信部により、端末装置へ無線により送信するキャリア情報送信制御部と、を備えることを特徴とする。
【００１６】
（２）本発明は、上記した（１）に記載の基地局装置において、前記キャリア情報送信制御部は、更に、前記追加のキャリアが存在する可能性のある周波数リソースの領域のうちで無効な領域部分を特定する情報を、前記無線通信部により、前記端末装置へ無線により送信する、ことを特徴とする。
【００１７】
（３）上記の課題を解決するために、本発明に係る端末装置は、既存のキャリア及び追加のキャリアを使用して無線により通信する無線通信部と、前記既存のキャリアより低周波数側又は高周波数側のうちの一方又は両方における前記追加のキャリアが存在する可能性のある周波数リソースの領域を特定する情報を、前記無線通信部により、基地局装置から無線により受信するキャリア情報受信制御部と、を備えることを特徴とする。
【００１８】
（４）本発明は、上記した（３）に記載の端末装置において、前記キャリア情報受信制御部は、更に、前記追加のキャリアが存在する可能性のある周波数リソースの領域のうちで無効な領域部分を特定する情報を、前記無線通信部により、前記基地局装置から無線により受信する、ことを特徴とする。
【００１９】
（５）上記の課題を解決するために、本発明に係る通信システムは、基地局装置と端末装置を有し、前記基地局装置は、既存のキャリアより低周波数側又は高周波数側のうちの一方又は両方における追加のキャリアが存在する可能性のある周波数リソースの領域を特定する情報を前記端末装置へ無線により送信し、前記端末装置は、前記基地局装置から前記情報を無線により受信し、前記基地局装置と前記端末装置が前記既存のキャリア及び前記追加のキャリアを使用して無線により通信する、ことを特徴とする。
【００２０】
（６）上記の課題を解決するために、本発明に係る通信方法は、基地局装置は、既存のキャリアより低周波数側又は高周波数側のうちの一方又は両方における追加のキャリアが存在する可能性のある周波数リソースの領域を特定する情報を端末装置へ無線により送信し、前記端末装置は、前記基地局装置から前記情報を無線により受信し、前記基地局装置と前記端末装置が前記既存のキャリア及び前記追加のキャリアを使用して無線により通信する、ことを特徴とする。
【発明の効果】
【００２１】
本発明によれば、周波数スペクトルを有効に使用することができる。
【図面の簡単な説明】
【００２２】
【図１】本発明の一実施形態に係る通信システムの概略的な構成を示すブロック図である。
【図２】本発明の一実施形態に係る移動局装置の概略的な構成を示すブロック図である。
【図３】本発明の一実施形態に係る基地局装置の概略的な構成を示すブロック図である。
【図４】本発明の一実施形態に係るスペクトルの概略的な構成を示すブロック図である。
【図５】本発明の第１実施形態に係る既存キャリアと追加セグメントの一例を示す図である。
【図６】本発明の第１実施形態に係るキャリアセグメントベースのアプローチにおける、基地局装置と移動局装置において行われる処理の手順の一例を示すシーケンス図である。
【図７】本発明の第１実施形態に係る基地局装置から移動局装置へ周波数リソースの構成を通知する処理の一例を説明するための図である。
【図８】本発明の第１実施形態に係るリソースブロック（ＲＢ）の構成の一例を示す図である。
【図９】本発明の第２実施形態に係る互換キャリアと追加キャリアの一例を示す図である。
【図１０】本発明の第２実施形態に係る基地局装置と移動局装置において行われる処理の手順の一例を示すシーケンス図である。
【図１１】本発明の第２実施形態に係る基地局装置から移動局装置へ周波数リソースの構成を通知する処理の一例を説明するための図である。
【図１２】本発明の第２実施形態に係る追加キャリアの周波数リソースにおけるＰＳＳ、ＳＳＳ、ＤＳの配置の一例を示す図である。
【図１３】既存のスペクトルに対するスペクトルの追加割り当ての一例を示す図である。
【図１４】複合スペクトルの運用の一例を示す図である。
【図１５】キャリアアグリゲーションの一例を説明するための図である。
【図１６】キャリアセグメントの一例を説明するための図である。
【発明を実施するための形態】
【００２３】
以下、図面を参照し、本発明の実施形態について説明する。
＜本実施形態に係る通信システムの概略的な構成＞
図１は、本発明の一実施形態に係る通信システムの概略的な構成を示すブロック図である。
本実施形態に係る通信システムは、複数の基地局装置１−１〜１−２と、複数の基地局装置１−１〜１−２の間を互いに直接又は間接に通信することが可能に接続する複数の回線３−１〜３−３と、複数の移動局装置（端末装置の一例）２１−１〜２１−ｎ、３１−１〜３１−ｍ（ｎ、ｍはそれぞれ１以上の整数）を備える。また、図１には、各基地局装置１−１〜１−２のセル（通信領域）１１−１〜１１−２を示してある。
【００２４】
ここで、通信システムにおいて、基地局装置の数や、基地局装置の間を接続する回線の数や、移動局装置の数としては、それぞれ、様々な数が用いられてもよい。なお、図１の例では、基地局装置１−１のセル１１−１にｎ個の移動局装置２１−１〜２１−ｎが存在しており、基地局装置１−２のセル１１−２にｍ個の移動局装置３１−１〜３１−ｍが存在している。
また、各回線３−１〜３−３としては、例えば、有線の通信の回線が用いられてもよく、又は、無線の通信の回線が用いられてもよい。
【００２５】
＜本実施形態に係る移動局装置の概略的な構成＞
図２は、本発明の一実施形態に係る移動局装置の概略的な構成を示すブロック図である。本実施形態では、各移動局装置２１−１〜２１−ｎ、３１−１〜３１−ｍは同様な構成を有し同様な動作を行うため、これらをまとめて移動局装置２１として説明する。
本実施形態に係る移動局装置２１は、アンテナ１０１と、無線通信部１０２と、入力部１０３と、出力部１０４と、記憶部１０５と、制御部１０６を備える。
制御部１０６は、キャリア情報受信制御部２０１を備える。
【００２６】
アンテナ１０１は、無線の信号を通信（送信及び受信）する。
無線通信部１０２は、送信対象の信号を処理してアンテナ１０１から無線により送信し、アンテナ１０１により受信された無線の信号を処理する。無線通信部１０２は、例えば、基地局装置（本実施形態では、基地局装置１−１〜１−２）との間で無線により通信する。無線通信部１０２は、例えば、古い型の移動局装置においては、既存のキャリア（のみ）を使用して無線により通信し、また、新しい型の移動局装置においては、既存のキャリア及び追加のキャリアを使用して無線により通信する。
入力部１０３は、外部からの入力を行う。入力部１０３は、例えば、ユーザ（人）により行われる操作を受け付ける操作部を有する。操作部は、例えば、タッチパネル或いはキーなどから構成される。また、入力部１０３は、例えば、外部から音（例えば、音声）を入力する音声入力部を有する。また、入力部１０３は、例えば、外部のメモリ或いは装置などからデータを入力するデータ入力部を有する。
出力部１０４は、外部への出力を行う。出力部１０４は、例えば、情報を画面に表示する表示部を有する。表示部は、例えば、液晶画面などから構成される。また、出力部１０４は、例えば、外部へ音（例えば、音声）を出力する音声出力部を有する。また、出力部１０４は、例えば、外部のメモリ或いは装置などへデータを出力するデータ出力部を有する。
記憶部１０５は、各種の情報を記憶する。記憶部１０５は、例えば、メモリから構成される。記憶部１０５は、例えば、制御部１０６などのプロセッサにより処理されるプログラムを記憶する。
制御部１０６は、各種の処理や制御を行う。
【００２７】
キャリア情報受信制御部２０１は、既存のキャリアより低周波数側又は高周波数側のうちの一方又は両方における追加のキャリアが存在する可能性のある周波数リソースの領域を特定する情報を、無線通信部１０２により、基地局装置１−１〜１−２から無線により受信する。
また、キャリア情報受信制御部２０１は、更に、追加のキャリアが存在する可能性のある周波数リソースの領域のうちで無効な領域部分を特定する情報を、無線通信部１０２により、基地局装置１−１〜１−２から無線により受信する。
【００２８】
＜本実施形態に係る基地局装置の概略的な構成＞
図３は、本発明の一実施形態に係る基地局装置の概略的な構成を示すブロック図である。本実施形態では、各基地局装置１−１〜１−２は同様な構成を有し同様な動作を行うため、これらをまとめて基地局装置１として説明する。
本実施形態に係る基地局装置１は、アンテナ１２１と、無線通信部１２２と、通信部１２３と、記憶部１２４と、制御部１２５を備える。
制御部１２５は、キャリア情報送信制御部３０１を備える。
【００２９】
アンテナ１２１は、無線の信号を通信（送信及び受信）する。
無線通信部１２２は、送信対象の信号を処理してアンテナ１２１から無線により送信し、アンテナ１２１により受信された無線の信号を処理する。無線通信部１２２は、例えば、移動局装置（本実施形態では、移動局装置２１−１〜２１−ｎ、３１−１〜３１−ｍ）との間で無線により通信する。無線通信部１２２は、本実施形態では、既存のキャリア及び追加のキャリアを使用して無線により通信する。
通信部１２３は、回線（本実施形態では、回線３−１〜３−３）を介して、他の基地局装置との間で情報を通信（送信及び受信）する。この通信は、例えば、有線の回線を介して行われてもよく、又は、無線の回線を介して行われてもよい。
記憶部１２４は、各種の情報を記憶する。記憶部１２４は、例えば、メモリから構成される。記憶部１２４は、例えば、制御部１２５などのプロセッサにより処理されるプログラムを記憶する。また、記憶部１２４は、例えば、無線通信が可能に接続している移動局装置に関する情報（例えば、管理するための情報）を記憶する。
制御部１２５は、各種の処理や制御を行う。
【００３０】
キャリア情報送信制御部３０１は、既存のキャリアより低周波数側又は高周波数側のうちの一方又は両方における追加のキャリアが存在する可能性のある周波数リソースの領域を特定する情報を、無線通信部１２２により、移動局装置２１−１〜２１−ｎ、３１−１〜３１−ｍへ無線により送信する。
また、キャリア情報送信制御部３０１は、更に、追加のキャリアが存在する可能性のある周波数リソースの領域のうちで無効な領域部分を特定する情報を、無線通信部１２２により、移動局装置２１−１〜２１−ｎ、３１−１〜３１−ｍへ無線により送信する。
【００３１】
＜本実施形態に係るスペクトルの概略的な構成＞
図４は、本発明の一実施形態に係るスペクトルの概略的な構成を示すブロック図である。図４におけるグラフの横軸は周波数を表す。
スペクトル４０１は、既存のスペクトル（既存のバンド（周波数帯））であり、互換性のあるキャリア（互換キャリア）が設けられる。
スペクトル４０２は、既存スペクトルに対して低周波数側に連続的な追加のスペクトル（新たなバンド）である。
スペクトル４０３は、既存スペクトルに対して高周波数側に連続的な追加のスペクトル（新たなバンド）である。
【００３２】
本実施形態では、図４に示されるように、既存バンドの上下（高低）の周波数帯に、任意のバンド幅を有する追加スペクトル（新たなバンド）を付与する。また、本実施形態では、ガードバンドの挿入を不要とし、既存バンドと連続のスペクトル（新たなバンド）を付与することを可能とする。
このように、既存の運用スペクトルに追加する形で、新たなスペクトルを運用する。この場合、既存の運用スペクトルについては、その中心周波数が移動されない。
なお、追加スペクトル（新たなバンド）は、例えば、既存バンドの上下（高低）の周波数帯のうちのいずれか一方のみに付与されてもよい。
また、例えば、追加スペクトル（新たなバンド）と既存バンドとの間に、無効な部分（例えば、無効なリソースブロック（ＲＢ））が設けられてもよい。
【００３３】
［第１実施形態］
第１実施形態を説明する。
本実施形態では、基地局装置１−１〜１−２（例えば、ｅＮＢ：Ｅ−ＵＴＲＡＮ  ＮｏｄｅＢ）から無線により送信される信号を移動局装置２１−１〜２１−ｎ、３１−１〜３１−ｍ（ＵＥ：Ｕｓｅｒ  Ｅｑｕｉｐｍｅｎｔ）が受信する下りリンクの通信を想定する。なお、下りリンクと上りリンクを逆にして適用することも可能である。
更に、本実施形態では、アクセススキームとして、周波数領域での割り当てを実施するＯＦＤＭＡ若しくはＳＣ−ＦＤＭＡ（Ｓｉｎｇｌｅ  Ｃａｒｒｉｅｒ  −  Ｆｒｅｑｕｅｎｃｙ  Ｄｉｖｉｓｉｏｎ  Ｍｕｌｔｉｐｌｅ  Ａｃｃｅｓｓ）を想定する。ここでは、簡単のため、１個の基地局装置Ａから送信される信号を１個の移動局装置Ｂが受信することを想定して説明するが、他の例として、この信号を受信する２個以上の移動局装置が存在する場合においても適用することが可能であり、その一般性は失われない。
【００３４】
なお、下りリンク（ＤＬ：Ｄｏｗｎ  Ｌｉｎｋ）は、基地局装置１−１〜１−２から移動局装置２１−１〜２１−ｎ、３１−１〜３１−ｍへの方向の通信を表し、上りリンク（ＵＬ：Ｕｐ  Ｌｉｎｋ）は、移動端末装置２１−１〜２１−ｎ、３１−１〜３１−ｍから基地局装置１−１〜１−２への方向の通信を表す。
【００３５】
本実施形態では、図５に示されるような利用ケースを想定する。
図５は、本実施形態に係る既存キャリアと追加セグメントの一例を示す図である。図５におけるグラフの横軸は周波数を表す。
この例では、既存のキャリア（互換キャリア）５０１に対して、低周波数側の追加のスペクトル５１１−１を第１の追加セグメント（追加セグメント１）として付与し、高周波数側の追加のスペクトル５１１−２を第２の追加セグメント（追加セグメント２）として付与し、更に高周波数側の追加のスペクトル５１１−３を第３の追加セグメント（追加セグメント３）として付与してある。
【００３６】
そして、このような後方互換のある下りリンクの既存キャリア（互換キャリア）５０１に対する追加セグメント１、２、３の存在を基地局装置Ａから移動局装置Ｂへ通知し、追加セグメント１、２、３を利用して下りリンクの信号を基地局装置Ａから移動局装置Ｂへ送信する。
【００３７】
図６は、本実施形態に係るキャリアセグメントベースのアプローチにおける、基地局装置Ａと移動局装置Ｂにおいて行われる処理の手順の一例を示すシーケンス図である。
基地局装置Ａは、移動局装置Ｂに対して、既存キャリアを同期するための信号（既存キャリアの同期信号）を無線送信して報知する（処理Ｔ１）。
ここで、「報知する」とは、複数の移動局装置に対して共通の信号を送信することを表す。また、報知される信号は、本実施形態では、ＬＴＥで定義された同期用信号であるＰＳＳ（Ｐｒｉｍａｒｙ  Ｓｙｎｃｈｒｏｎｉｚａｔｉｏｎ  Ｓｉｇｎａｌ）／ＳＳＳ（Ｓｅｃｏｎｄａｒｙ  Ｓｙｎｃｈｒｏｎｉｚａｔｉｏｎ  Ｓｉｇｎａｌ）であり、例えば、ＣＲＳなども含められる。
【００３８】
基地局装置Ａから無線送信された既存キャリアの同期信号を受信した移動局装置Ｂは、基地局装置Ａが送信する信号に関して時間、周波数の同期（既存キャリアとの時間・周波数の同期）を実施する（処理Ｔ２）。この処理にはＰＳＳ、ＳＳＳ、ＣＲＳなどが利用される。
この過程において、移動局装置Ｂは、既存キャリア（互換キャリア）５０１の周波数帯域幅、つまり、本実施形態では周波数リソースのブロック（ＲＢ：Ｒｅｓｏｕｒｃｅ  Ｂｌｏｃｋ）の数を判定（判別）する（後述する図７における（１）に相当する。）。
【００３９】
このような同期処理が完了すると、スペクトル５１１−１〜５１１−３（追加セグメント１、２、３）を追加する処理を行う。
基地局装置Ａは、移動局装置Ｂに対して、拡張周波数のブロックの数の情報を含む信号を無線送信して通知する（処理Ｔ３）（後述する図７における（２）に相当する。）。
更に、基地局装置Ａは、移動局装置Ｂに対して、有効周波数のブロックの位置の情報を含む信号を無線送信して通知する（処理Ｔ４）（後述する図７における（３）に相当する。）。これにより、無効となるＲＢの位置（つまり、有効であるＲＢの位置以外のＲＢの位置）が基地局装置Ａから移動局装置Ｂへ通知される。基地局装置Ａからは、無効ＲＢにおいては、下りリンク信号は全く送信されず、移動局装置Ｂも下りリンク信号が送信されないことを想定した受信処理が行われる。
【００４０】
以上の信号を受信した移動局装置Ｂは、これらの信号についてあらかじめ定められた処理を行って、追加セグメント１、２、３の信号の受信の準備を行う（処理Ｔ５）。これにより、移動局装置Ｂは、追加セグメント１、２、３で下りリンクの信号を受信することが可能となる。
【００４１】
続いて、以下では、既存キャリア（互換キャリア）５０１とスペクトル５１１−１〜５１１−３（追加セグメント１〜３）を使用した、移動局装置Ｂによる下りリンク信号の受信のプロセスを説明する。
基地局装置Ａは、移動局装置Ｂに対して、下りリンクの割り当て情報を含む制御情報（ＤＣＩ：Ｄｏｗｎｌｉｎｋ  Ｃｏｎｔｒｏｌ  Ｉｎｆｏｒｍａｔｉｏｎ）の信号を無線送信し（処理Ｔ６）、移動局装置ＢはこのＤＣＩの信号を受信して処理する（処理Ｔ７）。
引き続いて、基地局装置Ａは、移動局装置Ｂに対して、下りリンクのデータの信号を無線送信し（処理Ｔ８）、移動局装置Ｂは、既に受信したＤＣＩの情報に従って、このデータの信号を受信して処理する（処理Ｔ９）。
【００４２】
ここで、基地局装置Ａから移動局装置Ｂに対して送信されるＤＣＩには、引き続き基地局装置Ａから移動局装置Ｂへ送信される下りリンクのデータを復調するための情報が含まれている。この下りリンクのデータを復調するための情報としては、例えば、ＲＢの位置、ＭＩＭＯ（Ｍｕｌｔｉｐｌｅ  Ｉｎｐｕｔ  Ｍｕｌｔｉｐｌｅ  Ｏｕｔｐｕｔ）の空間多重レイヤ数、変調方式、符号化率などの情報が含まれる。
【００４３】
図７は、本実施形態に係る基地局装置Ａから移動局装置Ｂへ周波数リソースの構成を通知する処理の一例を説明するための図である。図７におけるグラフの横軸は周波数を表す。
図７の例では、図５に示される周波数リソースの構成に対応させて、周波数（周波数帯）が異なる複数のブロック６０１−１〜６０１−１５を示してある。
【００４４】
図７の例において、周波数が最も低い方から３個のブロック６０１−１〜６０１−３は、無効のブロックである。
続いて、図７の例において、周波数が低い方から１個のブロック６０１−４は、有効なブロックであり、図５に示される追加のスペクトル５１１−１（追加セグメント１）のブロックに相当する。
続いて、図７の例において、周波数が低い方から６個のブロック６０１−５〜６０１−１０は、有効なブロックであり、図５に示される既存キャリア（互換キャリア）５０１のブロックに相当する。
続いて、図７の例において、周波数が低い方から１個のブロック６０１−１１は、無効のブロックである。
続いて、図７の例において、周波数が低い方から１個のブロック６０１−１２は、有効なブロックであり、図５に示される追加のスペクトル５１１−２（追加セグメント２）のブロックに相当する。
続いて、図７の例において、周波数が低い方から１個のブロック６０１−１３は、無効のブロックである。
続いて、図７の例において、周波数が低い方から２個のブロック６０１−１４〜６０１−１５は、有効なブロックであり、図５に示される追加のスペクトル５１１−３（追加セグメント３）のブロックに相当する。
【００４５】
図７における処理（１）〜（３）に示されるように、本実施形態では、基地局装置Ａから移動局装置Ｂへ周波数リソースの構成を通知する。
図７における処理（１）として、基地局装置Ａから移動局装置Ｂへ、既存キャリア（互換キャリア）５０１に関して、周波数リソースのブロック（ＲＢ）の数を通知（例えば、報知）する。
図７における処理（２）として、基地局装置Ａから移動局装置Ｂへ、追加セグメント１〜３を含めた全ての周波数リソース（拡張した周波数リソース）のブロック（ＲＢ）の数を通知する。
図７における処理（３）として、基地局装置Ａから移動局装置Ｂへ、無効となる周波数リソースのブロック（ＲＢ）を通知する。
【００４６】
次に、既存キャリア（互換キャリア）５０１と追加セグメント１〜３を含む、物理下り共用データチャネル（ＰＤＳＣＨ：Ｐｈｙｓｉｃａｌ  Ｄｏｗｎｌｉｎｋ  Ｓｈａｒｅｄ  Ｃｈａｎｎｅｌ）の割り当ての方法について説明する。
本実施形態では、ＤＣＩを送信するチャネルである物理下り制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）の種類に応じて、割り当て可能なＰＤＳＣＨの領域が異なるようにする。
【００４７】
図８は、本実施形態に係るリソースブロック（ＲＢ）の構成の一例を示す図である。
図８において、横軸は時間を表し、縦軸は周波数を表す。
図８には、既存キャリア（互換キャリア）５０１及びその上下（高低）の周波数帯の拡張セグメントにおける周波数リソースの構成例を示してあり、また、ＲＢのインデックスとして、追加セグメントの設定前におけるインデックス（一構成例として、追加セグメントの設定後にも利用されてもよい。）の例及び追加セグメントの設定後におけるインデックスの例を示してある。
【００４８】
ＰＤＳＣＨとＰＤＣＣＨを次のように分類する。なお、ＰＤＣＣＨは、追加セグメント１〜３の領域内には存在しない。
・ＰＤＳＣＨ領域１は、既存キャリア（互換キャリア）５０１内のＰＤＳＣＨである。
・ＰＤＳＣＨ領域２は、既存キャリア（互換キャリア）５０１より低い周波数領域に存在する拡張セグメントの領域である。
・ＰＤＳＣＨ領域３は、既存キャリア（互換キャリア）５０１より高い周波数領域に存在する拡張セグメントの領域である。
・ＰＤＣＣＨは、既存キャリア（互換キャリア）５０１内に存在するＰＤＣＣＨである。
・ＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）１は、既存キャリア（互換キャリア）５０１内のＰＤＳＣＨ領域１に定義されるＥＰＤＣＣＨである。
・ＥＰＤＣＣＨ２は、追加セグメント内のＰＤＳＣＨ領域２若しくはＰＤＳＣＨ領域３に定義されるＥＰＤＣＣＨである。
【００４９】
ここで、本実施形態では、既存キャリア（互換キャリア）５０１としては２０個のＲＢが存在するとし、低い周波数の領域から高い周波数の領域へ順に０〜１９の番号が付与されるとする（本実施形態で、この方式をインデックス方式Ａと呼称する。）。この番号は、追加セグメント１〜３の設定前のものであり、追加セグメント１〜３に対しては適用されない。
また、追加セグメント１〜３の設定後には、無効とされたＲＢを含めて合計で５０個のＲＢが存在するとし、低い周波数の領域から高い周波数の領域へ順に０〜４９の番号が付与されるとする（本実施形態で、この方式をインデックス方式Ｂと呼称する。）。但し、番号４６〜４９の４個のＲＢは無効とされているとし、本実施形態では、これらのＲＢの領域を「ブランク領域」と表記する。
【００５０】
ＰＤＣＣＨは、追加セグメント１〜３が設定されたか否かに関わらず、ＰＤＳＣＨ領域１しかスケジュールできないとする。
ここで、ＰＤＣＣＨで運ばれるＤＣＩがＲＢを通知する際におけるインデックスとしては、インデックス方式Ａのインデックスのみを利用することを可能とする。つまり、本実施形態では、インデックス方式Ａにおける番号０〜１９までしか対応しない。このような構成を用いると、例えば、他の構成例として、ＰＤＣＣＨによるＰＤＳＣＨ領域２及びＰＤＳＣＨ領域３の割り当てを対応させると、ＲＢを指定するフィールドのビット数が可変となって、移動局装置Ｂにおける処理が複雑となること、を回避することが可能である。
【００５１】
この代わりに、ＥＰＤＣＣＨ１及びＥＰＤＣＣＨ２では、全てのＰＤＳＣＨ領域（本実施形態では、ＰＤＳＣＨ領域１〜３）を割り当てることを可能とする。つまり、追加セグメント１〜３が設定された後には、インデックス方式ＢのインデックスのみをＥＰＤＣＣＨに利用することを可能とする。
【００５２】
以上のように、本実施形態に係る通信システムでは、全ての移動局装置２１−１〜２１−ｎ、３１−１〜３１−ｍに共通な既存のキャリア及び特定の移動局装置（追加セグメントに対応可能な移動局装置）が利用可能であり既存のキャリアに付加される追加セグメント（追加のキャリア）を使用して下りリンクの信号を無線送信する基地局装置１−１〜１−２と、下りリンクの信号を無線受信する移動局装置２１−１〜２１−ｎ、３１−１〜３１−ｍを有する。
そして、本実施形態に係る通信システムでは、追加セグメントが存在する可能性のある周波数リソース（拡張した周波数リソース）の位置を示す情報（追加セグメント情報）を、基地局装置１−１〜１−２から移動局装置２１−１〜２１−ｎ、３１−１〜３１−ｍへ送信する。また、例えば、追加セグメント情報で示される領域の内について、その領域の内を２個以上のブロックに細分化し、それぞれのブロックにおいて下りリンクの送信が有効であるか又は下りリンクの送信が無効であるかを識別する情報（有効無効の識別情報）を、基地局装置１−１〜１−２から移動局装置２１−１〜２１−ｎ、３１−１〜３１−ｍへ送信する。
【００５３】
従って、本実施形態に係る通信システムによると、割り当てられた周波数スペクトルを有効に利用することができ、柔軟な方法で新たなスペクトル（追加のスペクトル）を利用することができる。このように、本実施形態に係る通信システムによると、周波数スペクトルを有効に使用することができる。
【００５４】
具体例として、本実施形態に係る通信システムでは、古い型の移動局装置がサポートする周波数帯域幅に制限があり、新しい型の移動局装置がサポートする周波数帯域幅の方が広いような場合においても、古い型の移動局装置の通信接続性を確保したまま、柔軟に新たなスペクトル（新たな周波数帯域）を追加して通信を実現することができる。本実施形態に係る通信システムでは、例えば、既存キャリア（互換キャリア）の上下（高低）に任意のサイズの拡張した周波数リソースを追加することができ、また、ビットマップなどの情報を用いて無効な領域部分を通知することで、不連続なスペクトルに対応することも可能である。また、本実施形態に係る通信システムでは、例えば、既存キャリア（互換キャリア）のみについて低い周波数の領域から高い周波数の領域へ順に（又は、逆の順に）連続する番号を付与することや、或いは、既存キャリア（互換キャリア）及び追加キャリアの全体（例えば、無効な領域部分も含む）について低い周波数の領域から高い周波数の領域へ順に（又は、逆の順に）連続する番号を付与することが可能である。
【００５５】
［第２実施形態］
第２実施形態を説明する。
本実施形態では、基地局装置１−１〜１−２（例えば、ｅＮＢ）から無線により送信される信号を移動局装置２１−１〜２１−ｎ、３１−１〜３１−ｍ（ＵＥ）が受信する下りリンクの通信を想定する。なお、下りリンクと上りリンクを逆にして適用することも可能である。
更に、本実施形態では、アクセススキームとして、周波数領域での割り当てを実施するＯＦＤＭＡ若しくはＳＣ−ＦＤＭＡを想定する。ここでは、簡単のため、１個の基地局装置Ａから送信される信号を１個の移動局装置Ｂが受信することを想定して説明するが、他の例として、この信号を受信する２個以上の移動局装置が存在する場合においても適用することが可能であり、その一般性は失われない。
【００５６】
なお、下りリンク（ＤＬ）は、基地局装置１−１〜１−２から移動局装置２１−１〜２１−ｎ、３１−１〜３１−ｍへの方向の通信を表し、上りリンク（ＵＬ）は、移動端末装置２１−１〜２１−ｎ、３１−１〜３１−ｍから基地局装置１−１〜１−２への方向の通信を表す。
【００５７】
本実施形態では、図９に示されるような利用ケースを想定する。
図９は、本実施形態に係る互換キャリアと追加キャリアの一例を示す図である。図９におけるグラフの横軸は周波数を表す。
この例では、既存のスペクトル８０１に互換性のあるキャリア（互換キャリア）が設けられており、それに対して低い周波数側のスペクトル８０２に追加のセグメント（追加セグメント）における追加のキャリア（追加キャリア）が設けられている。
互換キャリアの中心周波数と追加キャリアの中心周波数との間隔は任意であってもよい。
【００５８】
そして、このような後方互換のある下りリンクの既存キャリア（互換キャリア）に対する追加キャリアの存在を基地局装置Ａから移動局装置Ｂへ通知し、追加セグメントを利用して下りリンク信号を移基地局装置Ａから動局装置Ｂへ送信する。
ここで、追加キャリアを付加する手続きとしては、例えば、キャリアアグリゲーションに基づくセカンダリセルの追加を行う手続きと同様な手続きを用いることができるが、従来のキャリアアグリゲーションの手続きとは異なる点は、互換キャリアと追加キャリアの中心周波数間隔が１００ｋＨｚラスタ（つまり、１００ｋＨｚの倍数）に限られないことである。
【００５９】
図１０は、本実施形態に係る基地局装置Ａと移動局装置Ｂにおいて行われる処理の手順の一例を示すシーケンス図である。なお、この処理のプロセスが始まる前に、互換キャリアの同期処理（例えば、図６に示される処理Ｔ１〜処理Ｔ２と同様な処理）は基地局装置Ａと移動局装置Ｂとの間で終了しているとする。
基地局装置Ａは、移動局装置Ｂに対して、追加されるキャリア（追加キャリア）の相対的な位置の情報（相対位置情報）を含む信号を無線送信して通知する（処理Ｔ２１）。なお、本実施形態では、追加キャリアの相対位置情報としては、追加キャリアが存在し得る拡張した周波数リソースの位置を特定する情報を用いる。
この信号を受信して相対位置情報が通知された移動局装置Ｂは、追加キャリアの絶対位置を検出して同定（特定）する（処理Ｔ２２）。移動局装置Ｂは、追加キャリアの絶対位置として、例えば、中心周波数を同定する。
【００６０】
ここで、追加キャリアの相対位置情報を通知する方法としては、様々な方法が用いられてもよく、例えば、次のような（通知方法の例１）〜（通知方法の例３）を用いることができる。
（通知方法の例１）としては、基地局装置Ａが、中心周波数のオフセット（互換キャリアの中心周波数と追加キャリアの中心周波数との差）の値を直接的に移動局装置Ｂへ通知する方法を用いる。この方法では、中心周波数のオフセットの値を通知する構成として、例えば、周波数オフセットの数値を通知する構成が用いられてもよく、或いは、ＲＢ数の単位やサブキャリアの単位で周波数オフセットの値を通知する構成が用いられてもよい。
【００６１】
（通知方法の例２）としては、基地局装置Ａが移動局装置Ｂへ、周波数上における一の参照地点から他の一の参照地点のＲＢ数を通知する方法を用いる。なお、これらの参照地点としては、任意の地点が用いられてもよく、また、いずれか一方のみの参照地点が用いられてもよい。一例として、ＬＴＥの最小のＲＢ構成数は６個（６ＲＢ）と定義されており、互換キャリアの中心の６ＲＢの下端と追加キャリアの中心の６ＲＢの上端との距離（周波数の差の値）を基地局装置Ａが移動局装置Ｂへ通知する。
【００６２】
（通知方法の例３）としては、基地局装置Ａが移動局装置Ｂへ、追加キャリアのＲＢ数、及び、追加キャリアの互換キャリアに対する上下（高低）の位置（互換キャリアより低周波数の側に位置するか、又は、互換キャリアより高周波数の側に位置するか）を特定する情報を通知する方法を用いる。互換キャリアと追加キャリアが完全に連続して配置される場合には、これらの情報を基地局装置Ａから通知するだけで移動局装置Ｂは追加キャリアの中心周波数を特定することが可能である。
【００６３】
また、上記した（通知方法の例１）〜（通知方法の例３）において、更に、図７における「（３）無効ＲＢの通知」の処理と同様に、追加キャリアが存在し得る拡張した周波数リソースにおいて無効となるＲＢを基地局装置Ａが移動局装置Ｂへ指定するシグナリングを導入すると、互換キャリアと追加キャリアが連続する必要がなく、互換キャリアと追加キャリアとの間にブランクのＲＢを導入することが可能である。
【００６４】
図１１は、本実施形態に係る基地局装置Ａから移動局装置Ｂへ周波数リソースの構成を通知する処理の一例を説明するための図である。図１１におけるグラフの横軸は周波数を表す。
図１１の例では、図９に示される周波数リソースの構成に対応させて、周波数（周波数帯）が異なる複数のブロック９０１〜９０３、９１１〜９１３を示してある。
【００６５】
図１１の例において、互換キャリアの周波数帯の方が追加キャリアの周波数帯よりも高い。
図１１の例において、互換キャリアの周波数帯に、周波数が低い方から３個のブロック部分９０１〜９０３を示してある。一例として、ブロック部分９０１は９個のＲＢから構成され、ブロック部分９０２は６個のＲＢから構成され、ブロック部分９０３は９個のＲＢから構成される。
図１１の例において、追加キャリアの周波数帯に、周波数が低い方から３個のブロック部分９１１〜９１３を示してある。一例として、ブロック部分９１１は９個のＲＢから構成され、ブロック部分９１２は６個のＲＢから構成され、ブロック部分９１３は９個のＲＢから構成される。
【００６６】
図１１における処理（１）〜（２）に示されるように、本実施形態では、基地局装置Ａから移動局装置Ｂへ周波数リソースの構成を通知する。
図１１における処理（１）として、基地局装置Ａから移動局装置Ｂへ、互換キャリアに関して、周波数リソースのブロック（ＲＢ）の数を通知（例えば、報知）する。
図１１における処理（２）として、基地局装置Ａから移動局装置Ｂへ、追加キャリアの位置を特定するための信号を通知する。これにより、移動局装置Ｂは、同期信号の検出（発見）などを行うことが可能である。
また、図１１における処理（２）においては、例えば、上記した（通知方法の例１）〜（通知方法の例３）を用いることができる。
【００６７】
ここで、図１１の例では、互換キャリアの周波数帯の幅（ＲＢの数）と追加キャリアの周波数帯の幅（ＲＢの数）が同じである場合を示しているが、他の構成例として、これらの周波数帯の幅（ＲＢの数）が異なる構成が用いられてもよい。
また、更に、無効となるＲＢが設けられて、基地局装置Ａから移動局装置Ｂへ通知されてもよい。
【００６８】
続いて、図１０に示される処理の説明を行う。
上記した（処理Ｔ２２）の完了後、移動局装置Ｂは、追加キャリアの受信電力測定といったメジャメントの処理が可能となる。
基地局装置Ａは、移動局装置Ｂに対して、追加キャリアのメジャメントの指示の信号を無線送信する（処理Ｔ２３）。この信号を受信した移動局装置Ｂは、追加キャリアのメジャメントの処理を実施する（処理Ｔ２４）。
【００６９】
移動局装置Ｂは、追加キャリアのメジャメントの処理として、所定の条件（メジャメントの結果を報告する条件）を満たした場合には、メジャメントの結果を含む信号（メジャメントレポートの信号）を基地局装置Ａに無線送信する（処理Ｔ２５）。
このようなメジャメントレポートの内容に基づいて、基地局装置Ａが、キャリアアグリゲーションにより追加キャリアを移動局装置Ｂに付与（アタッチ）することを指示する信号を、当該移動局装置Ｂに無線送信する（処理Ｔ２６）。
これにより、移動局装置Ｂに追加キャリアが付与（アタッチ）され、移動局装置Ｂは、追加キャリアを利用することが可能になる（処理Ｔ２７）。
なお、追加キャリアの付与（アタッチ）を指示するためのメジャメントに関する処理（処理Ｔ２３〜処理Ｔ２５）は必ずしも必要ではなく、これらの処理（処理Ｔ２３〜処理Ｔ２５）を省略することも可能である。
【００７０】
なお、ここで指定された追加キャリアの中心周波数について、移動局装置Ａは、隣接セルの電力（受信電力・干渉電力）を測定する。具体的に、利用される信号としては、例えば、ＬＴＥ  Ｒｅｌｅａｓｅ  ８で定義された同期信号（ＰＳＳ／ＳＳＳ）や、ＣＲＳであるほかに、新たに追加されるキャリアを発見するための信号（ＤＳ：Ｄｉｓｃｏｖｅｒｙ  Ｓｉｇｎａｌ）を追加してもよい。
【００７１】
ＤＳを導入する目的として、ＣＲＳでの隣接セルの電力測定精度が不十分である場合の補完用途として用いることが挙げられる。具体的に、オーバーヘッドの削減を目的としてＮＣＴにおけるＣＲＳの送信頻度を下げる場合、電力測定の精度が十分でなくなる可能性がある。移動局装置Ｂが追加キャリアを検出する際に全てのバンド幅（つまり図１１中の９１１、９１２、９１３の領域）に含まれるＣＲＳを利用すれば、ＰＳＳ、ＳＳＳが含まれるＬＴＥの最小バンド幅である６ＲＢ（つまり図１１中の９１２）だけを用いる場合に比較して電力測定精度を高めることができると考えられるが、バンド幅を検出する処理による電力消費や処理回路の複雑さが問題となる。このため、ある限られたＲＢ、時間（サブフレーム）に集中して、決められたパターンの信号（ＤＳ）を送信することは、電力測定精度の向上だけでなく消費の改善、処理回路の簡単化に有効である。ここで、決められたパターンとは、ＤＳが送信されるＲＢ、サブキャリア、サブフレーム、ＯＦＤＭシンボルや、変調パターン（振幅・位相）が物理セルＩＤなどの報知情報により一意に決定されることを指す。
具体的にＤＳは、ＰＳＳ／ＳＳＳが配置されるサブフレームにあり、ＰＳＳ／ＳＳＳが配置されるＲＢにのみ存在してもよい。ＤＳは、ＰＳＳ／ＳＳＳが配置される全てのサブフレームに存在してもよく、或いは、例えば、Ｍ（Ｍは２以上の整数）回に１回のサブフレームでＤＳが送信されるなどとして、ＤＳのオーバーヘッドを削減することも可能である。このＭは、固定値であってもよく、又は、パラメータとして、移動局装置Ｂから基地局装置Ａに通知してもよい。これにより、置局シナリオに応じて最適なＤＳ送信周期を設定することが可能であり、オーバーヘッドを最適化することが可能である。
【００７２】
図１２は、本実施形態に係る追加キャリアの周波数リソースにおけるＰＳＳ、ＳＳＳ、ＤＳの配置の一例を示す図である。
図１２には、追加キャリアの中心の６ＲＢについて、サブフレーム０／５を構成するＲＢ１０１１（図１２では、１個のみに符号を付してある）を示してあり、ＰＳＳ、ＳＳＳ、ＤＳの配置の一例を示してある。
【００７３】
以上のように、本実施形態に係る通信システムでは、全ての移動局装置２１−１〜２１−ｎ、３１−１〜３１−ｍに共通な既存のキャリア及び特定の移動局装置（追加セグメントに対応可能な移動局装置）が利用可能であり既存のキャリアに付加される追加セグメント（追加のキャリア）を使用して下りリンクの信号を無線送信する基地局装置１−１〜１−２と、下りリンクの信号を無線受信する移動局装置２１−１〜２１−ｎ、３１−１〜３１−ｍを有する。
そして、本実施形態に係る通信システムでは、追加セグメントが存在する可能性のある周波数リソース（拡張した周波数リソース）の位置を示す情報（追加セグメント情報）を、基地局装置１−１〜１−２から移動局装置２１−１〜２１−ｎ、３１−１〜３１−ｍへ送信する。また、例えば、追加セグメント情報で示される領域の内について、その領域の内を２個以上のブロックに細分化し、それぞれのブロックにおいて下りリンクの送信が有効であるか又は下りリンクの送信が無効であるかを識別する情報（有効無効の識別情報）を、基地局装置１−１〜１−２から移動局装置２１−１〜２１−ｎ、３１−１〜３１−ｍへ送信する。
【００７４】
従って、本実施形態に係る通信システムによると、割り当てられた周波数スペクトルを有効に利用することができ、柔軟な方法で新たなスペクトル（追加のスペクトル）を利用することができる。このように、本実施形態に係る通信システムによると、周波数スペクトルを有効に使用することができる。
【００７５】
具体例として、本実施形態に係る通信システムでは、古い型の移動局装置がサポートする周波数帯域幅に制限があり、新しい型の移動局装置がサポートする周波数帯域幅の方が広いような場合においても、古い型の移動局装置の通信接続性を確保したまま、柔軟に新たなスペクトル（新たな周波数帯域）を追加して通信を実現することができる。本実施形態に係る通信システムでは、例えば、既存キャリア（互換キャリア）の上下（高低）に任意のサイズの拡張した周波数リソースを追加することができ、また、ビットマップなどの情報を用いて無効な領域部分を通知することで、不連続なスペクトルに対応することも可能である。また、本実施形態に係る通信システムでは、例えば、既存キャリア（互換キャリア）のみについて低い周波数の領域から高い周波数の領域へ順に（又は、逆の順に）連続する番号を付与することや、或いは、既存キャリア（互換キャリア）及び追加キャリアの全体（例えば、無効な領域部分も含む）について低い周波数の領域から高い周波数の領域へ順に（又は、逆の順に）連続する番号を付与することが可能である。
【００７６】
［以上の実施形態に関する構成例］
一構成例として、既存のキャリア及び追加のキャリアを使用して無線により通信する無線通信部（以上の実施形態では、無線通信部１２２）と、前記既存のキャリアより低周波数側又は高周波数側のうちの一方又は両方における前記追加のキャリアが存在する可能性のある周波数リソースの領域を特定する情報を、前記無線通信部により、端末装置（以上の実施形態では、移動局装置２１−１〜２１−ｎ、３１−１〜３１−ｍ）へ無線により送信するキャリア情報送信制御部（以上の実施形態では、キャリア情報送信制御部３０１）と、を備えることを特徴とする基地局装置（以上の実施形態では、基地局装置１−１〜１−２）である。
なお、端末装置としては、例えば、移動局装置以外の装置が用いられてもよい。
【００７７】
一構成例として、このような基地局装置において、前記キャリア情報送信制御部は、更に、前記追加のキャリアが存在する可能性のある周波数リソースの領域のうちで無効な領域部分を特定する情報を、前記無線通信部により、前記端末装置へ無線により送信する、ことを特徴とする。
【００７８】
一構成例として、既存のキャリア及び追加のキャリアを使用して無線により通信する無線通信部（以上の実施形態では、無線通信部１０２）と、前記既存のキャリアより低周波数側又は高周波数側のうちの一方又は両方における前記追加のキャリアが存在する可能性のある周波数リソースの領域を特定する情報を、前記無線通信部により、基地局装置（以上の実施形態では、基地局装置１−１〜１−２）から無線により受信するキャリア情報受信制御部（以上の実施形態では、キャリア情報受信制御部２０１）と、を備えることを特徴とする端末装置（以上の実施形態では、移動局装置２１−１〜２１−ｎ、３１−１〜３１−ｍ）である。
なお、端末装置としては、例えば、移動局装置以外の装置が用いられてもよい。
【００７９】
一構成例として、このような端末装置において、前記キャリア情報受信制御部は、更に、前記追加のキャリアが存在する可能性のある周波数リソースの領域のうちで無効な領域部分を特定する情報を、前記無線通信部により、前記基地局装置から無線により受信する、ことを特徴とする。
【００８０】
一構成例として、基地局装置と端末装置を有し、前記基地局装置は、既存のキャリアより低周波数側又は高周波数側のうちの一方又は両方における追加のキャリアが存在する可能性のある周波数リソースの領域を特定する情報を前記端末装置へ無線により送信し、前記端末装置は、前記基地局装置から前記情報を無線により受信し、前記基地局装置と前記端末装置が前記既存のキャリア及び前記追加のキャリアを使用して無線により通信する、ことを特徴とする通信システム（以上の実施形態では、図１に示されるような通信システム）である。
【００８１】
一構成例として、基地局装置は、既存のキャリアより低周波数側又は高周波数側のうちの一方又は両方における追加のキャリアが存在する可能性のある周波数リソースの領域を特定する情報を端末装置へ無線により送信し、前記端末装置は、前記基地局装置から前記情報を無線により受信し、前記基地局装置と前記端末装置が前記既存のキャリア及び前記追加のキャリアを使用して無線により通信する、ことを特徴とする通信方法（以上の実施形態では、図１に示されるような通信システムにおいて行われる通信の方法）である。
【００８２】
［以上の実施形態のまとめ］
以上、本発明の実施形態について図面を参照して詳述したが、具体的な構成はこの実施形態に限られるものではなく、本発明の要旨を逸脱しない範囲の設計変更等も含まれる。
【００８３】
また、以上に示した各実施形態に係る各装置（例えば、基地局装置や移動局装置）の機能を実現するためのプログラムをコンピュータ読み取り可能な記録媒体に記録して、この記録媒体に記録されたプログラムをコンピュータシステムに読み込ませ、実行することにより、処理を行ってもよい。
【００８４】
なお、ここで言う「コンピュータシステム」とは、オペレーティング・システム（Ｏｐｅｒａｔｉｎｇ  Ｓｙｓｔｅｍ；ＯＳ）や周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｋ）等の可搬媒体、コンピュータシステムに内蔵されるハードディスク等の記憶装置のことを言う。
【００８５】
更に、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、或いは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことを言う。
また、上記のプログラムは、前述した機能の一部を実現するためのものであっても良い。更に、前述した機能をコンピュータシステムに既に記録されているプログラムとの組み合わせで実現できるもの、いわゆる差分ファイル（差分プログラム）であっても良い。
【符号の説明】
【００８６】
１、１−１〜１−２…基地局装置、３−１〜３−３…回線、１１−１〜１１−２…セル（通信領域）、２１、２１−１〜２１−ｎ、３１−１〜３１−ｍ…移動局装置、１０１、１２１…アンテナ、１０２、１２２…無線通信部、１０３…入力部、１０４…出力部、１０５、１２４…記憶部、１０６、１２５…制御部、１２３…通信部、２０１…キャリア情報受信制御部、３０１…キャリア情報送信制御部、４０１〜４０３、５１１−１〜５１１−３、８０１〜８０２、２００１〜２００２、２０１１、２０２１〜２０２２、２０３１〜２０３３…スペクトル、５０１…既存キャリア（互換キャリア）、６０１−１〜６０１−１５…ブロック、９０１〜９０３、９１１〜９１３…ブロック部分、１０１１…リソースブロック（ＲＢ）
【図１】
2014138318.tif 000003
【図２】
2014138318.tif 000004
【図３】
2014138318.tif 000005
【図４】
2014138318.tif 000006
【図５】
2014138318.tif 000007
【図６】
2014138318.tif 000008
【図７】
2014138318.tif 000009
【図８】
2014138318.tif 000010
【図９】
2014138318.tif 000011
【図１０】
2014138318.tif 000012
【図１１】
2014138318.tif 000013
【図１２】
2014138318.tif 000014
【図１３】
2014138318.tif 000015
【図１４】
2014138318.tif 000016
【図１５】
2014138318.tif 000017
【図１６】
2014138318.tif 000018